(57)【特許請求の範囲】
【請求項１】
第一の部材と第二の部材との間にピンオンリールを挟み込んだピンオンリールホルダーであって、
前記ピンオンリールを前記第一の部材と前記第二の部材とに対して保持する保持手段と、前記第一の部材と前記第二の部材とを相互に固定する固定手段と、からなるピンオンリールホルダー。
【請求項２】
前記ピンオンリールには、相互に対向する一対の面において、前記ピンオンリールの中心軸に沿って設けられている貫通孔または凹部が形成されており、前記保持手段は前記第一の部材及び前記第二の部材の少なくとも一方に設けられた突起からなり、前記突起は前記ピンオンリールの前記貫通孔または凹部に係合するものであることを特徴とする請求項１に記載のピンオンリールホルダー。
【請求項３】
前記ピンオンリールには、相互に対向する一対の面において、前記ピンオンリールの中心軸に沿って設けられている貫通孔の周囲に凹部が形成されており、前記保持手段は前記第一の部材及び前記第二の部材に設けられた突起からなり、前記突起は前記ピンオンリールの前記貫通孔に係合しており、前記貫通孔から外れた場合であっても、前記凹部に引っかかるものであることを特徴とする請求項１に記載のピンオンリールホルダー。
【請求項４】
前記ピンオンリールには、その中心軸に沿って貫通孔が設けられており、前記保持手段は、前記貫通孔を通り、前記第一の部材及び前記第二の部材の少なくとも何れか一方に固定可能なピン状部材からなるものであることを特徴とする請求項１に記載のピンオンリールホルダー。
【請求項５】
前記第一の部材又は第二の部材の外周面には安全ピン構造が形成されていることを特徴とする請求項１乃至４の何れか一項に記載のピンオンリールホルダー。
【発明の詳細な説明】
【０００１】
【発明の属する技術分野】
本願発明は、ピンオンリールを保持することができるピンオンリールホルダーに関する。
【０００２】
【発明が解決しようとする課題】
釣りなどの際には、ラインカッター、フックシャープナー、針外し等の頻繁に使用する道具をピンオンリールに取り付けておくことが行われている。
【０００３】
ここで、ピンオンリールは、糸と、糸の先に設けられたクリップ部と、リール部と、を備え、このリール部は、糸を巻き取るドラムと、糸を巻き取る方向にドラムを付勢するバネとをケース内に納めることにより構成されているのが一般的である。
【０００４】
以上のようなピンオンリールにおいては、クリップ部にラインカッター等の道具を取り付け、この道具を使用する際には、この道具を引っ張ることによりドラムに巻かれた糸が繰り出され、この道具から手を離すと糸が巻き取られる仕組みになっている。
【０００５】
しかしながら、このようなピンオンリールでは、ピンオンリールを衣服等に固定することができず、不便であった。
【０００６】
また、このようなピンオンリールにおいては、複数の道具を取り付ける場合には、必要な数だけピンオンリールを使用する必要がある。
【０００７】
しかしながら、複数のピンオンリールを持ち歩くのでは、その取り扱いが不便である。
【０００８】
また、このような不便を解消するために、リール部の内部に複数のドラムを設け、これらのドラムから糸を一本ずつ引き出し、これらの糸にクリップ部を設けることにより、即ち、一つのケースの中に複数のドラムを設け、これと同じ数の糸及びクリップ部を備えることにより、複数の道具を取り付けられるようにしたものもある。
【０００９】
しかしながら、以上のようなピンオンリールでは、予め、使用する道具の数と同じ数のドラム部及びクリップ部を有するピンオンリールを用意する必要があり、必要に応じて、ドラム部及びクリップ部の数を増減させることはできなかった。
【００１０】
そこで、本願発明は、ピンオンリールを保持することができ、また、複数のピンオンリールを一つにまとめて保持することができ、さらに、消費者の選択により、使用するピンオンリールの数を変えることができるピンオンリールホルダーを提供することを目的とする。
【００１１】
【課題を解決するための手段】
以上の課題を解決するため、本願発明は、第一の部材と第二の部材との間にピンオンリールを挟み込んだピンオンリールホルダーであって、前記ピンオンリールを前記第一の部材と前記第二の部材とに対して保持する保持手段と、前記第一の部材と前記第二の部材とを相互に固定する固定手段と、からなるピンオンリールホルダーを提供する。
【００１２】
第一の部材と第二の部材とは、固定手段により相互に固定された場合に、ケース状をなすように構成することができる。
【００１３】
このように、ケース状をなすような第一の部材と第二の部材とを採用する場合には、保持されるピンオンリールを内部に納めることができる大きさで、第一の部材と第二の部材を形成する必要がある。
【００１４】
また、このようなケース状のものを用いる場合には、ピンオンリールの数に応じて、ピンオンリールに備わっている糸を通すことができる穴を設けておくことが必要である。
【００１５】
また、第一の部材と第二の部材とをそれぞれ板状部材により構成し、これらの第一の部材と第二の部材とがピンオンリールをその間に挟んだ状態で固定手段により相互に固定するように構成することも可能である。
【００１６】
このように、第一の部材と第二の部材とをそれぞれ板状部材により構成する場合には、固定手段としてこれらを連結するような態様のものを採用する必要がある。
【００１７】
例えば、第一の部材に、第二の部材にまで達する柱状部材を設けておき、これを固定することなどがある。
【００１８】
なお、固定するには、溶接、接着等も考えられるが、ねじ止めや噛み合わせ等を用いて第一の部材と第二の部材とを着脱可能に構成することが望ましい。
【００１９】
着脱可能な固定手段を用いることにより、ピンオンリールが壊れた場合等に、ピンオンリールを取り替えることができ、また、使用する道具の数に応じてピンオンリールホルダーに保持するピンオンリールの数を変えることができる。
【００２０】
保持手段を複数備えておき、第一の部材と第二の部材とにより複数のピンオンリールを保持した状態で、固定手段により固定することができるようにすることもできる。
【００２１】
なお、保持手段の数は、第一の部材と第二の部材とにより保持するピンオンリールの数により変えることができる。
【００２２】
例えば、一つのピンオンリールを保持するする場合には、一つの保持手段を備え、また、二つのピンオンリールを保持する場合には、二つの保持手段を備え、さらに、三つのピンオンリールを保持する場合には、三つの保持手段を備えるように構成する。
【００２３】
このように、複数のピンオンリールを保持することができるようにすることにより、複数の道具を使用する場合に便利である。
【００２４】
前記ピンオンリールには、相互に対向する一対の面において、前記ピンオンリールの中心軸に沿って設けられている貫通孔または凹部が形成されており、前記保持手段は前記第一の部材及び前記第二の部材の少なくとも一方に設けられた突起からなり、前記突起は前記ピンオンリールの前記貫通孔または凹部に係合するものであることが好ましい。
【００２５】
このように形成された突起は、第一の部材又は第二の部材の少なくともいずれか一方に設けることにより、この突起をピンオンリールに設けられている凹部又は貫通孔に嵌合させ、該ピンオンリールを保持することができるようになる。
【００２６】
なお、突起は、第一の部材又は第二の部材のいずれか一方に設ければ足りるが、第一の部材と第二の部材のそれぞれに設けることにより、より確実にピンオンリールを保持することができるようになる。
【００２７】
前記ピンオンリールには、相互に対向する一対の面において、前記ピンオンリールの中心軸に沿って設けられている貫通孔の周囲に凹部が形成されており、前記保持手段は前記第一の部材及び前記第二の部材に設けられた突起からなり、前記突起は前記ピンオンリールの前記貫通孔に係合しており、前記貫通孔から外れた場合であっても、前記凹部に引っかかるものであるように構成することができる。
【００２８】
このような脱落防止用凹部を設けておくことにより、ピンオンリールホルダーに設けられている突起が凹部又は貫通孔から外れた場合であっても、その周りに設けられている脱落防止用凹部に引っかかり、ピンオンリールがピンオンリールホルダーから脱落してしまうことを防止することができる。
【００２９】
また、前記ピンオンリールには、その中心軸に沿って貫通孔が設けられており、前記保持手段は、前記貫通孔を通り、前記第一の部材及び前記第二の部材の少なくとも何れか一方に固定可能なピン状部材からなるものとすることができる。
【００３０】
このように、ピン状部材を介してピンオンリールを第一または第二の部材に対して保持することも可能である。
【００３１】
ピンオンリールを構成している第一の部材又は第二の部材のうち少なくとも一方には、安全ピン構造を形成しておくことが望ましい。
【００３２】
このような安全ピン構造を設けておくことにより、ピンオンリールをピンオンリールホルダーに保持し、この安全ピンにより衣服等に固定することができるようになる。
【００３３】
また、ピンオンリールホルダーを構成している第一の部材又は第二の部材のうち少なくとも一方には、飾り用片を着脱自在に取り付けることができるようにすることにより、消費者の選択により、ピンオンリールホルダーのデザインを変えることができるようになる。
【００３４】
【発明の実施の形態】
図１は、本願発明の第一の実施形態に係るピンオンリールホルダー１０の分解斜視図である。図２は、ピンオンリールホルダー１０の第一の部材１ａの下方斜視図である。図３は、ピンオンリールホルダー１０の第二の部材２ａの下方斜視図である。図４は、ピンオンリールホルダー１０にピンオンリール３ａを取り付けた場合の上面図である。
【００３５】
本願発明の第一の実施形態に係るピンオンリールホルダー１０は、第一の部材１ａと、第二の部材２ａとから形成されている。
【００３６】
第一の部材１ａには、ピンオンリール３ａに設けられている保持用孔４に嵌合する保持用突起５ａが取り付けられている。
【００３７】
保持用突起５ａは、ピンオンリール３ａに設けられている保持用孔４を貫通し、第二の部材２ａにまで達するようにされている。
【００３８】
また、保持用突起５ａの下面には、図２に表されているように、第一のネジ穴６が設けられており、第二の部材２ａの下面から第二の部材２ａに設けられている第一のネジ穴用貫通孔７を通じて、第一のネジ８をねじ込むことにより、第一の部材１ａと第二の部材２ａとは固定されるようにされている。
【００３９】
ここで、保持用突起５ａの長さは、保持用孔４を通じてピンオンリール３ａを貫通する関係上、ピンオンリール３ａの厚さＢを考慮して適時選択すればよい。
【００４０】
以上のように本願発明の第一の実施形態に係るピンオンリールホルダー１０を構成したので、第一の部材１ａに設けられている保持用突起５ａをピンオンリール３ａに設けられている保持用孔４を貫通させ、第二の部材２ａの下面から第一のネジ８をねじ込むことにより、ピンオンリールホルダー１０により、ピンオンリール３ａを保持することができるようになる。
【００４１】
なお、図３に表されているように、第二の部材２ａの底面裏側には安全ピン構造としてピン９ａが取り付けられている。このピン９ａは安全ピンの機能を果たす。このため、ピンオンリール３ａをピンオンリールホルダー１０に保持した後、ピン９ａによりピンオンリールホルダー１０を衣服等に固定することができる。
【００４２】
また、本実施形態に係る第一の部材１ａには、飾り用片１１ａが第二のネジ１２により取り付けられているため、飾り用片１１ａを他の物に変更することにより、ピンオンリールホルダー１０のデザインを変えることができるようになる。
【００４３】
図５は、本願発明の第二の実施形態に係るピンオンリールホルダー２０の分解斜視図である。図６は、ピンオンリールホルダー２０の第一の部材１ｂの下方斜視図である。図７は、ピンオンリールホルダー２０の第二の部材２ｂの下方斜視図である。図８は、ピンオンリールホルダー２０にピンオンリール３ｂを二つ取り付けた場合の上面図である。
【００４４】
本実施形態に係るピンオンリールホルダー２０は、それぞれ板状部材からなる第一の部材１ｂと第二の部材２ｂとの間にピンオンリール３ｂを二つ挟み込むようにして保持することができるようにされている。
【００４５】
本実施形態では、それぞれ板状部材からなる第一の部材１ｂと第二の部材２ｂとの間にピンオンリールを挟み込むように構成しているため、ピンオンリール２０を構成している第一の部材１ｂには、柱状部材１３がスペーサーとして用いられている。
【００４６】
なお、スペーサーとして用いられている柱状部材１３の高さＣは、第一の部材１ｂと第二の部材２ｂとの間に挟み込むピンオンリール３ｂの厚さＢに応じて適時選択すればよい。
【００４７】
また、本実施形態では、第一の実施形態同様、飾り用片１１ｂが第一の部材１ｂに取り付けられるようになっているが、本実施形態では、第三のネジ１４を第一の部材１ｂの上面から柱状部材１３を貫通し、第二の部材２ｂに設けられている第二のネジ穴１７にねじ込むようにして、第一の部材１ｂと第二の部材２ｂとを固定することとしているため、飾り用片１１ｂもこの第三のネジ１４を用いて、第一の部材１ｂに固定するようにしている。
【００４８】
本実施形態に係るピンオンリール３ｂは、第一の実施形態に係るピンオンリール３ａにおける保持用孔４とは異なり、保持用凹部１６が設けられている。
【００４９】
即ち、本実施形態では、図５又は図６に示すようにピンオンリール３ｂを保持するための保持用突起５ｂが第一の部材１ｂと第二の部材２ｂのそれぞれに設けられており、これらの保持用突起５ｂに嵌合する程度の大きさ及び深さを有する保持用凹部１５がピンオンリール３ｂの表面及び裏面のそれぞれに設けられている。
【００５０】
なお、第一の部材１ｂと第二の部材２ｂのそれぞれに設けられている保持用突起５ｂは、ピンオンリール３ｂの表面及び裏面に設けられている保持用凹部１５に対応した位置に二つずつ設けられている。
【００５１】
また、第一の部材１ｂ又は第二の部材２ｂに設けられている保持用突起５ｂ同士の間隔Ｄは、二つのピンオンリール３ｂ同士が抵触しないようにするため、ピンオンリール３ｂに設けられている保持用凹部１５の中心からピンオンリール３ｂの外周部までの長さEの和（即ち、Ｅ×２）に、第一の部材１ｂと第二の部材２ｂとの間のスペーサーとして設けられた柱状部材１３の幅Ｆを足したものよりも大きくなるように構成する必要がある（即ち、Ｄ＞２Ｅ＋Ｆ）。
【００５２】
なお、本実施形態においては、保持用突起５ｂは、第一の部材１ｂ及び第二の部材２ｂのそれぞれに２つずつ設けられている。
【００５３】
これは、本実施形態においては、ピンオンリール３ｂを２つ保持することとしているためである。
【００５４】
このように構成することにより、本実施形態においては、ピンオンリール３ｂに設けられている保持用凹部１５に第一の部材１ｂ及び第二の部材２ｂに設けられている保持用突起５ｂを嵌合させることにより、ピンオンリールホルダー２０は、ピンオンリール３ｂを二つ保持することができるようにされている。
【００５５】
また、ピンオンリール３ｂの表面及び裏面のそれぞれに設けられている保持用凹部１５の周りには、脱落防止用凹部１６がそれぞれ設けられている。
【００５６】
ここで、ピンオンリール３ｂに設けられる脱落防止用凹部１６は、ピンオンリール３ｂに設けられている保持用凹部１５から、第一の部材１ｂ及び第二の部材２ｂに設けられている保持用突起５ｂが外れた場合に、保持用突起５ｂが引っかかる程度の大きさ及び深さを有していればよい。
【００５７】
このように、ピンオンリール３ｂの表面及び裏面に設けられている保持用凹部１５の周りに脱落防止用凹部１６が設けられているため、ピンオンリール３ｂに設けられている保持用凹部１５から、第一の部材１ｂ及び第二の部材２ｂに設けられている保持用突起５ｂが外れた場合でも、保持用突起５ｂが脱落防止用凹部１６に引っかかることにより、ピンオンリール３ｂがピンオンリールホルダー２０から脱落してしまうのを防止することができる。
【００５８】
また、本実施形態では、第一の実施形態同様、第二の部材１ｂの底面裏側に安全ピン９ｂが設けられているが、本実施形態に係る安全ピン９ｂは、第二の部材２ｂに一体的に設けられており、また、第二の部材１ｂの底面裏側には、安全ピン９ｂにより挟み込む衣服等を固定するための波状突起１８が設けられている。
【００５９】
このような波状突起１８が設けられていることにより、安全ピン９ｂにより、ピンオンリール２０がより強固に衣服等に固定されることとなる。
【００６０】
以上のように本願発明の第二の実施形態に係るピンオンリール２０を構成したので、第一の実施形態とは異なり、二つのピンオンリール３ｂを保持することができるようになる。
【００６１】
また、本実施形態では、ピンオンリール３ｂに設けられている保持用凹部１５の周りに脱落防止用凹部１６が設けられているため、第一の部材１ｂ及び第二の部材２ｂに設けられている保持用突起５ｂが保持用凹部１５から外れた場合でも、保持用突起５ｂが脱落防止用凹部１６に引っかかり、ピンオンリール３ｂがピンオンリールホルダー２０から脱落してしまうのを防止することができる。
【００６２】
さらに、本実施形態では、第二の部材２ｂの底面裏側に波状突起１８が設けられているため、より強固にピンオンリールホルダー２０を衣服等に固定することができる。
【００６３】
なお、本実施形態に係るピンオンリールホルダー２０は２個のピンオンリール３ｂを保持するするものとして構成したが、ピンオンリールホルダー２０により保持できるピンオンリール３ｂの個数は２個には限定されない。３個以上のピンオンリール３ｂを保持できるようにピンオンリールホルダー２０を構成することも可能である。
【００６４】
図９は、本願発明の第三の実施形態に係るピンオンリールホルダー３０の分解斜視図である。
【００６５】
本実施形態においては、第一の実施形態と同様保持用孔４を有するピンオンリール３ａを用いており、また、保持用ピン１９を用いてピンオンリール３ａを二つ保持するようにされている他は、第二の実施形態と同様の構成を有している。
【００６６】
保持用ピン１９は、ピン部２１が二つ設けられており、ほぼ「コ」字型の形状を有している。
【００６７】
二つのピン部２１が設けられているのは、本実施形態では、二つのピンオンリール３ａを保持することとしているためである。
【００６８】
なお、本実施形態では、二つのピン部２１を一体的に形成するため、ほぼ「コ」字型の保持用ピン１９を用いたが、例えば、一つのピン部を有する保持用ピンを二つ用意して、二つのピンオンリールを保持するような構成を採用することもできる。
【００６９】
したがって、保持用ピン１９に設けられているピン部２１を第一の部材１ｃの上面から、ピンオンリール３ａに設けられている保持用孔４を貫通させて、第二の部材２ｃに設けられている嵌合用凹部２２に嵌合させることにより、ピンオンリール３ａを保持することができるようにされている。
【００７０】
なお、保持用ピン１９に設けられているピン部２１同士の間隔Ｇは、第二の実施形態における保持用突起５ｂと同様に、ピンオンリール３ａに設けられている保持用孔４の中心からピンオンリール３ａの外周部までの長さEの和（即ち、Ｅ×２）に、第一の部材１ｂと第二の部材２ｂとの間のスペーサーとして設けられた柱状部材１３の幅Ｆを足したものよりも大きくなるように構成する必要がある（即ち、Ｇ＞２Ｅ＋Ｆ）。
【００７１】
また、第二の部材２ｃの下面にあるため図示されていないが、本実施形態においても第二の実施形態同様、安全ピン９ｂが、第二の部材２ｃの下面に設けられている。
【００７２】
以上のように本願発明の第三の実施形態に係るピンオンリールホルダー３０を構成したので、第二の実施形態同様、二つのピンオンリール３ａを保持することができ、また、第二の実施形態とは異なり、ピンオンリール３ａに脱落防止用凹部１６を設けることなく、ピンオンリール３ａがピンオンリールホルダー３０から脱落してしまうのを防止することができる。
【００７３】
なお、本実施形態に係るピンオンリールホルダー３０は２個のピンオンリール３ａを保持するするものとして構成したが、ピンオンリールホルダー３０により保持できるピンオンリール３ａの個数は２個には限定されない。３個以上のピンオンリール３ａを保持できるようにピンオンリールホルダー３０を構成することも可能である。
【００７４】
【発明の効果】
以上のように本願発明は構成されるので、ピンオンリールホルダーによりピンオンリールを保持することができる。
【００７５】
また、ピンオンリールホルダーに設けられている安全ピンによりピンオンリールを衣服等に固定することができる。
【００７６】
さらに、複数のピンオンリールを一つにまとめて保持することができるため、消費者の選択により、ピンオンリールホルダーに保持するピンオンリールの数を変えることができる。
【図面の簡単な説明】
【図１】第一の実施形態に係るピンオンリールホルダー１０の分解斜視図。
【図２】ピンオンリールホルダー１０の第一の部材１ａの下方斜視図。
【図３】ピンオンリールホルダー１０の第二の部材２ａの下方斜視図。
【図４】ピンオンリールホルダー１０にピンオンリール３ａを取り付けた場合の上面図。
【図５】第二の実施形態に係るピンオンリールホルダー２０の分解斜視図。
【図６】ピンオンリールホルダー２０の第一の部材１ｂの下方斜視図。
【図７】ピンオンリールホルダー２０の第二の部材２ｂの下方斜視図。
【図８】ピンオンリールホルダー２０にピンオンリール３ｂを二つ取り付けた場合の上面図。
【図９】第三の実施形態に係るピンオンリールホルダー３０の分解斜視図。
【符号の説明】
１ａ−１ｃ  第一の部材
２ａ−２ｃ  第二の部材
３ａ、３ｂ  ピンオンリール
４  保持用孔
５ａ、５ｂ  保持用突起
６  第一のネジ穴
８  第一のネジ
９ａ、９ｂ  安全ピン
１０  第一の実施形態に係るピンオンリールホルダー
１１ａ、１１ｂ  飾り用片
１２  第二のネジ
１３  柱状部材
１４  第三のネジ
１５  保持用凹部
１６  脱落防止用凹部
１７  第二のネジ穴
１９  保持用ピン
２０  第二の実施形態に係るピンオンリールホルダー
２２  嵌合用凹部
３０  第三の実施形態に係るピンオンリールホルダー
【図１】
0004497504.tif 000002
【図２】
0004497504.tif 000003
【図３】
0004497504.tif 000004
【図４】
0004497504.tif 000005
【図５】
0004497504.tif 000006
【図６】
0004497504.tif 000007
【図７】
0004497504.tif 000008
【図８】
0004497504.tif 000009
【図９】
0004497504.tif 000010